(57)【特許請求の範囲】
【請求項１】
中空針と、該中空針の後端を保持する軟質樹脂からなる保持筒と、該保持筒と一体かつ展開状態に形成された１対の翼片とを備える翼状針を収容するプロテクターにおいて、
該中空針と保持筒と重ね合わされた状態の翼片とを収容する樋状部材と、該樋状部材の底面から外方に突出して形成された把持部とを備え、
前記樋状部材は、該中空針と該保持筒とを収容する底部と、該底部から上方に立ち上がり、翼片を収容する相対向する一対の側壁とからなり、該中空針を収容する部分の先端部が閉塞されていると共に、該保持筒を収容する部分の後端部が開放されていて、底部に該保持筒が嵌合されるように該樋状部材の側壁の間隔が狭められた狭窄部を備え、該狭窄部と嵌合された保持筒とが該保持筒の復元力により弾発的に係合し、該翼片を収容する一対の側壁と該翼片とが該翼片の展開力により弾発的に係合していることを特徴とする翼状針用プロテクター。
【請求項２】
前記狭窄部は、前記樋状部材の底部に部分的に備えられていることを特徴とする請求項１記載の翼状針用プロテクター。
【発明の詳細な説明】
【０００１】
【発明の属する技術分野】
本発明は、インシュリンの筋肉注射等に用いられる翼状針用のプロテクターに関するものである。
【０００２】
【従来の技術】
インシュリンの筋肉注射等の医療行為に用いられる針として、中空針を備えると共に、該中空針の後端を保持する保持筒と一体に形成された１対の翼片を備える翼状針が知られている。前記翼状針を用いる場合、医師、看護婦等の医療行為者は、まず前記中空針に嵌着されているプロテクターを外して、前記１対の翼片を重ね合わせて把持し、次いで前記中空針を患者の腹部等の筋肉に穿刺する。そして、前記１対の翼片を開いて粘着テープで患者の腹部等に止めることにより、前記筋肉注射の間、前記中空針を固定する。
【０００３】
前記翼状針は、前記筋肉注射が終了したならば、患者の体内から抜去されて廃棄されるが、このとき前記中空針が露出していると、前記医療関係者や廃棄に従事する者が誤って該中空針を自己の手指等に穿刺する（以下、誤穿刺と略記する）ことがある。ここで、前記患者がＨＩＶ、急性肝炎等の感染症に罹患していると、前記感染症が前記中空針を介して前記医療関係者や廃棄に従事する者に感染する虞がある。
【０００４】
そこで、従来、前記誤穿刺を防止するために、使用前に外した前記プロテクターを使用済の中空針に再び嵌着すること（リキャップ）が行われている。前記従来のプロテクターは、前記中空針に相当する長さを備える中空の円筒状体であり、前記リキャップは、該プロテクターと前記中空針とを該中空針の延長方向に相互に近接させて、該中空針をその先端から開口端部に挿入することにより行われる。
【０００５】
しかしながら、前記プロテクターでは、該プロテクターを把持している手指が該中空針の先端部の移動方向に位置するため、前記リキャップの際に該中空針の先端部が該手指に誤穿刺されることがあるとの不都合がある。
【０００６】
【発明が解決しようとする課題】
本発明は、かかる不都合を解消して、誤穿刺を確実に防止して、安全に中空針に嵌着することができる翼状針用のプロテクターを提供することを目的とする。
【０００７】
【課題を解決するための手段】
かかる目的を達成するために、本発明の翼状針用のプロテクターの第１の態様は、中空針と、該中空針の後端を保持する軟質樹脂からなる保持筒と、該保持筒と一体かつ展開状態に形成された１対の翼片とを備える翼状針を収容するプロテクターにおいて、該中空針と保持筒と重ね合わされた状態の翼片とを収容する樋状部材と、該樋状部材の底面から外方に突出して形成された把持部とを備え、前記樋状部材は、該中空針と該保持筒とを収容する底部と、該底部から上方に立ち上がり、翼片を収容する相対向する一対の側壁とからなり、該中空針を収容する部分の先端部が閉塞されていると共に、該保持筒を収容する部分の後端部が開放されていて、底部に該保持筒が嵌合されるように該樋状部材の側壁の間隔が狭められた狭窄部を備え、該狭窄部と嵌合された保持筒とが該保持筒の復元力により弾発的に係合し、該翼片を収容する一対の側壁と該翼片とが該翼片の展開力により弾発的に係合していることを特徴とする。
【０００８】
本発明のプロテクターによれば、前記翼状針の中空針、保持筒と共に、前記翼片が重ね合わされた状態で、前記樋状部材に収容される。そこで、医師、看護婦等の医療関係者は、前記重ね合わされた状態で収容されている翼片を把持して前記プロテクターから前記翼状針を引き出し、そのまま使用することができる。従って、展開状態の１対の翼片を重ね合わせる動作を省略することができる。
【０００９】
また、使用前に外した前記プロテクターを使用済の前記翼状針に再び嵌着する際には、一方の手で前記翼片を重ね合わせた状態で把持すると共に、他方の手で該プロテクターの把持部を把持し、該翼状針とプロテクターとを相互に近接せしめることにより前記樋状部材に該翼状針を収容する。このとき、前記プロテクターの把持部は、前記樋状部材の底面から外方に突出して形成されているので、前記翼状針とプロテクターとは、前記中空針の延長方向と交差する方向に移動されることになる。従って、前記プロテクターの把持部を把持する手指は、前記中空針の先端部が移動する際に指向する方向から外れた位置にあり、該中空針の先端部による誤穿刺を確実に防止することができる。
【００１０】
また、前記樋状部材は前記中空針を収容する部分の先端部が閉塞されているので、前記のようにして前記樋状部材に収容された中空針の先端部が該樋状部材から突出することがない。さらに、前記樋状部材は底部に該保持筒が嵌合されるように該樋状部材の側壁の間隔が狭められた狭窄部を備えているので、前記翼状針が前記樋状部材に収容されたときに、前記保持筒が前記狭窄部に嵌合する。前記保持筒は、前記狭窄部に嵌合されることにより撓められ、原形に復帰しようとする復元力が作用する。この結果、前記狭窄部は前記保持筒と該保持筒の復元力により弾発的に係合し、前記翼状針を抜け止めすることができる。
【００１１】
また、前記翼状針において前記翼片は、前記保持筒に一体かつ展開状態に形成されているので、前記のように重ね合わされた状態で前記樋状部材に収容されると、展開しようとする力が働く。従って、前記樋状部材は前記翼片を収容する部分が、前記翼片と該翼片の展開力により弾発的に係合し、前記翼状針を抜け止めすることができる。
【００１２】
本発明の翼状針用のプロテクターにおいて、前記狭窄部は前記樋状部材の底部の全長に亘って設けられていなくてもよく、前記保持筒を抜け止めする効果が得られる長さであれば、前記樋状部材の底部に部分的に備えられていてもよい。
【００１５】
【発明の実施の形態】
次に、添付の図面を参照しながら本発明の実施の形態についてさらに詳しく説明する。図１は本実施形態の翼状針の斜視図、図２は本実施形態の翼状針用プロテクターの斜視図、図３は図２のＩＩＩ−ＩＩＩ線断面図、図４は本実施形態の翼状針用プロテクターに対する翼状針の収容方法を示す斜視図である。
【００１６】
本実施形態の翼状針１は、図１示のように、鋭利な先端部を備える中空針２と、中空針２の後端を保持する中空の保持筒３と、保持筒３と一体かつ展開状態に形成された１対の翼片４，４とを備え、保持筒３の後端には薬液を中空針２に導くチューブ５が取着されている。保持筒３と、翼片４，４とは、例えば、Ｓ−ＰＶＣ、ＰＥ、ＰＰのような軟質樹脂により形成されており、翼片４，４は弾性的に変形自在とされている。翼状針１は、インシュリン等の筋肉注射に用いられるものであり、中空針２は保持筒３の先端から斜め下方に向けて取着されている。
【００１７】
次に、本実施形態のプロテクター６は、図２示のように、中空針２と保持筒３と重ね合わされた状態の翼片４とを収容する樋状部材７と、樋状部材７の底面から外方に突出して形成された把持部８とを備えている。樋状部材７は、翼状針１の中空針２が保持筒３の先端から斜め下方に向けて取着されている構成に対応して、中空針２を収容する部分９が保持筒３を収容する部分１０に対して傾斜して形成されている。また、中空針２を収容する部分９の先端部９ａが閉塞されて中空針２が突出しないように係止されると共に、保持筒３を収容する部分１０の後端部１０ａが開放されてチューブ５が外部に導出されるようになっている。
【００１８】
また、樋状部材７は、図３及び図４に示すように、底部に保持筒３が嵌合されるように樋状部材７の側壁の間隔が狭められた狭窄部７ａを備えている。狭窄部７ａは、断面視Ｕ字状で保持筒３の外径よりも僅かに狭い幅に形成されており、狭窄部７ａに嵌合されて撓められた保持筒３が原形に復帰しようとする復元力により保持筒３と弾発的に係合して、保持筒３が抜け止めされるようになっている。
【００１９】
さらに、保持筒３を収容する部分１０の上方は、翼片４，４を収容する部分１１となっており、この部分１１は翼片４，４の展開力により翼片４，４と弾発的に係合して、収容された翼状針１が抜け止めされるようになっている。翼片４，４を収容する部分１１は、この部分１１から露出する翼片４，４を手指により把持できるようにするために、前述のように翼片４，４の展開力により翼片４，４と弾発的に係合する大きさがあればよい。
【００２０】
一方、把持部８は、図３に示すように、樋状部材７の底面の裏側中央部に形成されており、樋状部材７との間に段差８ａが形成されている。この結果、把持部８を把持する手指が樋状部材７の陰に隠れるようになっている。
【００２１】
本実施形態のプロテクター６は、例えば、ＰＰ、ＡＢＳ、ＰＳ等の硬質樹脂または半硬質樹脂により成形されていることが好ましい。プロテクター６は前記樹脂からなることにより、狭窄部７ａが保持筒３の復元力に抗して保持筒３と弾発的に係合し、或いは翼片４，４を収容する部分１１が翼片４，４の展開力に抗して翼片４，４と弾発的に係合することができる。また、プロテクター６は前記樹脂からなることにより、包装されたときに外力に抗することができ、ブリスター包装ばかりでなく、ピールオープン式の包装も可能になる。
【００２２】
本実施形態のプロテクター６によれば、まず、使用するときには図２に示す状態で、一方の手でプロテクター６から露出している翼片４，４を把持すると共に、他方の手でプロテクター６の把持部８を把持して、相互に離間する方向に移動させることにより、プロテクター６から翼状針１を引き出す。このとき、翼片４，４は既に重ね合わされた状態にあるので、翼状針１はプロテクター６から引き出された後、直ちに使用に供することができる。
【００２３】
次に、使用前に外したプロテクター６を使用済の翼状針１に再び嵌着する（リキャップ）ときには、一方の手で翼片４，４を把持すると共に、他方の手でプロテクター６の把持部８を把持して、図３に矢示するように、中空針２と保持筒３とが樋状部材７の開口部に沿うように、翼状針１とプロテクター６とを移動する。このとき、翼状針１は中空針２の延長方向と交差する方向に移動するので、プロテクター６の把持部８を把持する手指は、中空針２の先端部が移動する際に指向する方向から外れた位置にある。また、把持部８を把持する手指は、前述のように段差８ａにより樋状部材７の陰に隠れているので、プロテクター６に近接する翼状針１から樋状部材７により保護されている。
【００２４】
従って、プロテクター６によれば、中空針２の先端部により、把持部８を把持する手指を誤穿刺することを確実に防止することができる。また、プロテクター６によれば、狭窄部７ａが保持筒３と弾発的に係合すると共に、翼片４，４を収容する部分１１が翼片４，４と弾発的に係合するので、一旦収容された翼状針１を確実に抜け止めすることができる。
【００２５】
尚、本実施形態では、狭窄部７ａが保持筒３と弾発的に係合すると共に、翼片４，４を収容する部分１１が翼片４，４と弾発的に係合する構成となっているが、保持筒３と弾発的に係合する狭窄部７ａのみを設け、翼片４，４を収容する部分１１の幅を大きくしてこの部分１１が翼片４，４と弾発的に係合しない構成としてもよい。また、翼片４，４を収容する部分１１が翼片４，４と弾発的に係合する構成として、保持筒３と弾発的に係合する狭窄部７ａを設けない構成としてもよい。
【００２６】
また、本実施形態では、図４に示すように狭窄部７ａを樋状部材７の底面の全長に亘って設けているが、狭窄部７ａは翼状針１を抜け止めする効果が得られる長さであればよく、樋状部材７の底部に部分的に備えられていてもよい。狭窄部７ａを樋状部材７の底部に部分的に備える場合、例えば樋状部材７の側壁の一部を内側に突出させた１対の突出部を相対向して設けることにより狭窄部７ａを形成することができる。
【００２７】
さらに、本実施形態では、インシュリン等の筋肉注射に用いるために、中空針２が保持筒３の先端から斜め下方に向けて取着されている翼状針１について説明しているが、翼状針１は中空針２が保持筒３の先端に水平に取着されているものであってもよい。この場合には、プロテクター６は、中空針２を収容する部分９が保持筒３を収容する部分１０に対して水平に形成される。
【図面の簡単な説明】
【図１】本発明の翼状針の斜視図。
【図２】本発明の翼状針用プロテクターの斜視図。
【図３】図２のＩＩＩ−ＩＩＩ線断面図。
【図４】本発明の翼状針用プロテクターに対する翼状針の収容方法を示す斜視図。
【符号の説明】
１…翼状針、  ２…中空針、  ３…保持筒、  ４…翼片、  ６…翼状針用プロテクター、  ７…樋状部材、  ７ａ…狭窄部、  ８…把持部材。
【図１】
0003771819.tif 000002
【図２】
0003771819.tif 000003
【図３】
0003771819.tif 000004
【図４】
0003771819.tif 000005